(57)【特許請求の範囲】
【請求項１】
少なくとも１つの置換もしくは非置換の炭水化物または炭水化物誘導体および少なくとも１つのオリゴシランを含む界面活性剤を含み、
前記界面活性剤が
【化１】
0006371316.tif 000018
0006371316.tif 000019
からなる群から選択された分子またはそれらの混合物を含み、式中、
Ａは１〜２０個の糖単位を含む置換もしくは非置換の炭水化物または炭水化物誘導体であり、かつ、単糖、二糖および三糖、糖酸、アミノ糖もしくはシクリトール、またはこれらの化合物のエーテル、エステル、アミドもしくはチオエステルを表し、
Ｂは少なくとも１個の原子または鎖の任意選択のリンカー部分構造を表し、
Ｃはオリゴシランまたはオキサカルボシランであり、
Ｄはオリゴシロキサンである、
消火用泡原液。
【請求項２】
前記原液が、A-B-Dである界面活性剤をさらに含む、請求項１に記載の原液。
【請求項３】
Ｃがジシラン、トリシラン、テトラシランまたはペンタシランである、請求項１または２に記載の原液。
【請求項４】
Ｃが以下の構造の１つから選択される、請求項１から３のいずれか１項に記載の原液
【化２】
0006371316.tif 000020
式中、Ｒはそれぞれ独立してエチルまたはメチルであり、ｎは（それぞれ独立して）１、２または３を表し、ｊ、ｋ、ｍは１〜９であり、ここで１≦ｊ＋ｋ＋ｍ≦１０であり、
【化３】
0006371316.tif 000021
式中、Ｒはそれぞれ独立してエチルまたはメチルであり、Ｘはそれぞれ独立して（ＣＨ２）ｎであり、ここでｎは（それぞれ独立して）１、２または３を表し、ｊ、ｋ、ｍは１〜９であり、ここで１≦ｊ＋ｋ＋ｍ≦１０であり、
【化４】
0006371316.tif 000022
式中、Ｒはそれぞれ独立してエチルまたはメチルであり、ここでｎは（それぞれ独立して）１、２または３を表し、ｊ、ｋは１〜９であり、ここで１≦ｊ＋ｋ≦１０である。
【請求項５】
少なくとも１つの置換もしくは非置換の炭水化物または炭水化物誘導体および少なくとも１つのオリゴシランを含む界面活性剤の、消火用泡および／または原液への添加剤としての使用であって、
前記界面活性剤が
【化１】
0006371316.tif 000023
0006371316.tif 000024
からなる群から選択された分子またはそれらの混合物を含み、式中、
Ａは１〜２０個の糖単位を含む置換もしくは非置換の炭水化物または炭水化物誘導体であり、かつ、単糖、二糖および三糖、糖酸、アミノ糖もしくはシクリトール、またはこれらの化合物のエーテル、エステル、アミドもしくはチオエステルを表し、
Ｂは少なくとも１個の原子または鎖の任意選択のリンカー部分構造を表し、
Ｃはオリゴシランまたはオキサカルボシランであり、
Ｄはオリゴシロキサンである、
使用。
【発明の詳細な説明】
【技術分野】
【０００１】
本発明は、消火用泡または泡原液の分野に関する。
【背景技術】
【０００２】
特に液量が大きくなる燃料などの有機化学物質の火災において、通常は特殊な泡原液が消火用水に添加されている。これらは界面活性剤特性を有し、通常の消火用泡とは対照的に、燃焼物の表面の独立した濡れを可能にする。したがって、特定の特徴であるこのようないわゆるＡＦＦＦ（水成膜泡）消火用泡は、燃焼している液体の表面に水膜を形成する。このようにして生じた蒸気バリヤは、引火性液体が気相中に移行し、したがって火災を維持し、または発火もしくは爆発する可能性がある気体混合物を形成することを困難にする。ＡＦＦＦ泡の特徴的な濡れ性によって、泡が燃焼している液体の表面を滑ることも可能になり、したがって消火用泡を直接適用することができない位置にさえ到達する。さらに、泡表面は（例えば、落下物による）外乱後に自力で閉じる。さらに、膜は、泡が直接到達しない領域において流れ、作用することさえある。
【０００３】
長い間、ペルフルオロオクチルスルホナート（ＰＦＯＳ）はこのような消火用泡における選択の手段であると考えられた。しかし、毒性、残留性および生体内蓄積性であると認識されたので、その使用は２００６年１２月１２日のＥＵ指令２００６／１２２／ＥＣによって厳しく制限されてきた。５０ｐｐｍを超えるＰＦＯＳを含有する消火用泡がＥＵで使用されていることはない。現在では、ＡＦＦＦにおいて、様々な他のペルフッ素化またはポリフッ素化界面活性剤がＰＦＯＳの代替物として使用されている。これらの界面活性剤に関しては、生体内蓄積性および毒性でない、または生体内蓄積性および毒性が少なくとも低いとこれまで考えられている。この点に関して最終評価は依然として未決定であり、ポリフッ素化化合物の残留性の根本問題はいずれにせよそのままである。
【発明の概要】
【発明が解決しようとする課題】
【０００４】
したがって、できる限り同様に有効であるが、好ましくは毒性が低くかつ好ましくはハロゲンを含まない界面活性剤を含有する効率的な代替ＡＦＦＦ消火用泡原液を見出すことを目的とする。
【課題を解決するための手段】
【０００５】
本目的は本発明の請求項１によって実現される。したがって、消火用泡原液であって、少なくとも１つの置換もしくは非置換の炭水化物または炭水化物誘導体、および少なくとも１つのオリゴシランを含む界面活性剤、を含む原液が提案される。
【０００６】
この文脈で「含む（ｃｏｍｐｒｉｓｉｎｇ）」という用語は、炭水化物および炭水化物誘導体とオリゴシランとの両方がより大きい分子の部分成分であり、両方とも分子の残部に共有結合を介して結合していることを意味する。
【０００７】
驚くべきことに、このような界面活性剤は水成膜消火用泡の生成に適しており、用途に応じて、以下の利点の少なくとも１つを実現できることが明らかになってきた。
−炭水化物の水溶性が高いため、本発明による界面活性剤の全分子サイズは十分な溶解性によって十分に小さく、小さな分子はそれらの拡散係数がより高いので大部分の用途に好ましい。
−本界面活性剤はハロゲン、特にフッ素を含まず、本質的には、再生可能な原材料から生成可能である。
−本界面活性剤は燃焼物（例えば、燃料）の表面に閉じた水膜を自力で形成することが可能になり、この水膜は蒸気バリヤとして引火性液体の気相への移行を妨害し、このようにして、燃焼物が火災を維持し、かつ／または発火もしくは爆発する可能性がある気体混合物を形成することを最小限に抑える。
−水膜形成のため、本界面活性剤はポリフッ素化または過フッ素化化合物を含むことなく、液体の火災に特に適している。
−本界面活性剤は優れた耐久性、特に加水分解安定性を有する。
【発明を実施するための形態】
【０００８】
本発明の好ましい実施形態によれば、本界面活性剤は
【０００９】
【化１】
0006371316.tif 000002
からなる群から選択された分子またはそれらの混合物を含み、式中、
Ａは１〜２０個、好ましくは１〜４個の糖単位を含む置換もしくは非置換の炭水化物または炭水化物誘導体であり、
Ｂは少なくとも１個の原子または鎖で構成されている任意選択のリンカー部分構造を表し、
Ｃはオリゴシラン、好ましくはジシラン、トリシラン、テトラシランまたはペンタシランであり、
Ｄはオリゴシロキサン、好ましくはジシロキサン、トリシロキサンまたはテトラシロキサンである。
【００１０】
以下に、界面活性剤の部分成分を詳細に説明するが、個々の特性または情報を任意に組み合わせることができる。
【００１１】
部分成分Ａ
Ａは１〜２０個、好ましくは１〜４個の糖単位を含む置換もしくは非置換の炭水化物または炭水化物誘導体である。一方で好ましくは、単糖、二糖および三糖、すなわち１、２または３個の糖単位であり、代替として、その上好ましくはより高次の糖、特にシクロデキストリンである。
【００１２】
さらに、部分成分Ａまたは部分成分Ａの部分は、糖酸（アルドン酸、ウロン酸またはアルダル酸）、糖アルコール（アルジトール）、アミノ糖またはシクリトール、およびそれらのエーテル、エステル、アミドもしくはチオエステルなど炭水化物誘導体からなることもあり得る。
【００１３】
「糖単位」または「炭水化物」という用語は特に、ヘキソース、ペントースまたはシクリトールを指し、それらは（二糖以上の存在下で）互いにグリコシド結合していることが好ましい。
【００１４】
しかし、糖単位同士の他の位置化学的結合または置換基（リンカー）の糖単位への他の位置化学的結合は明示的には除外されない。
【００１５】
以上に説明したように、炭水化物は置換炭水化物でも、非置換炭水化物でもよく、非置換炭水化物の方が得られる水溶性が高いため好ましい。
【００１６】
炭水化物が置換されている限りは、エチレンオキシ、オリゴ（エチレンオキシ）、メチル、エチル、プロピル、アリルまたはアセチル置換基が好ましい。
【００１７】
本発明でいうところの好ましい炭水化物または炭水化物誘導体は、
単糖に関して、グルコース、グルコサミン、フルクトース、ガラクトース；
二糖に関して、マルトース、イソマルトース、スクロース、セロビオース、ラクトース、トレハロース；
三糖に関して、ラフィノース、マルトトリオース、イソマルトトリオース、マルトトリウロース、シケリトール；
シクリトールに関して、イノシトール、クエブラキトール、ピニトール；
糖酸に関して、グルコン酸、グルクロン酸、グルカル酸、酒石酸、ガラクトン酸、ガラクツロン酸、ガラクタル酸、マンノン酸、マンヌロン酸、マンナル酸、フルクトン酸、フルクツロン酸、フルクタル酸、アラビノン酸、アラビヌロン酸、アラビナル酸、キシロン酸、キシルロン酸、キシラル酸、リボン酸、リブロン酸、リバル酸、アスコルビン酸；
アルジトールに関して、ソルビトール、キシリトール、マンニトール、ラクチトール、マルチトール、イソマルチトール、トレイトール、エリスリトール；
より高次の糖に関して、α−シクロデキストリン、β−シクロデキストリン、γ−シクロデキストリン、δ−シクロデキストリン、
である。
【００１８】
部分成分Ｂ
Ｂは少なくとも１個の原子または鎖、好ましくは炭素原子および／または窒素原子および／または酸素原子（ここで、Ｏ−Ｏ結合は除外されるべきである）で構成されている任意選択のリンカー部分構造である。
【００１９】
この鎖は純アルキル鎖とすることができ、すなわちＢは好ましくは３、４、５、６もしくは７個の炭素原子を有する非置換または任意選択でアルキル置換されたアルキレン残基である。特に好ましいのは、プロピレン架橋である（すなわち、３個の炭素原子）。
【００２０】
あるいは、Ｂはエーテル、エステル、アミドまたはアミン基を含むことができる。例えば、Ｂはグリセリン、ペンタエリトリット、アルキルアミンまたはカルボン酸を部分構造として含むことができる。
【００２１】
やはり代替として、好ましい限りにおいて、Ｂはオリゴエチレンまたはオリゴプロピレングリコール単位、好ましくは２、３または４個の単位を含む。残基Ｃへの結合として、好ましくはエチレンまたはプロピレン単位が使用される。
【００２２】
Ｂはアノマー炭素原子を介して残基Ａにグリコシド結合していることが好ましい。Ａとしてカルボン酸誘導体の場合は、Ｂがアミドまたはエステル結合を介してＡに結合していることもあり得る。
【００２３】
ＢはＳｉ−Ｃ、Ｓｉ−ＯまたはＳｉ−Ｎ結合を介して残基Ｃ（シラン）に結合している。
【００２４】
本発明によるいくつかの界面活性剤について、部分成分Ｂが省かれることがあり、すなわちＡおよびＣが任意選択で互いに直接結合していることに留意されたい。
【００２５】
さらに、本発明によるいくつかの界面活性剤において、残基Ｂ−ＣまたはＣは炭水化物または炭水化物誘導体Ａの他の位置化学的位置に結合することもあり得る。
【００２６】
部分成分Ｃ
Ｃはオリゴシラン、好ましくはジシラン、トリシラン、テトラシランまたはペンタシランであり、Ｃがそれらに限定されるべきではないことは明確であり、より大きな残基も含まれるべきである。本発明でいうところの「オリゴシラン」は、
−１個を超えるＳｉＲ1Ｒ2Ｒ3Ｒ4−単位（Ｒ1、Ｒ2、Ｒ3、Ｒ4＝同一または異なる有機残基、したがって４つのＳｉ−Ｃ結合が存在する）を含み、または
−ＳｉＲ1Ｒ2Ｒ3Ｒ4−単位（Ｒ1、Ｒ2、Ｒ3、Ｒ4＝同一または異なる有機残基、したがって４つのＳｉ−Ｃ結合が存在する）および少なくとも１個の別のシロキサン単位（すなわち、化合物ＳｉＲ1Ｒ2Ｒ3Ｒ4、式中、Ｒの少なくとも１つがアルコキシまたはオキソ残基である）を含む
化合物または残基／「部分化合物」を意味する。これらの化合物は通常オキサカルボシランと呼ばれることに留意されたい。しかし、本発明の意味において、より読み易くし、明瞭にするために、これらの化合物は簡単にするためにオリゴシランとも呼ばれ、またはこれらの化合物はオリゴシランの一群にも分別される。
【００２７】
本明細書において、「末端」トリメチルシランおよび／またはトリエチルシランが好ましい（すなわち、それらは３個のメチルおよび／もしくはエチル単位または２個のメチルおよび１個のエチル単位または２個のエチルおよび１個のメチレン単位を含む）。
【００２８】
個々のシランは、分子全体の両疎媒性があまり低減されないので好ましくはメチレン、エチレンまたはプロピレン架橋、特に好ましくはメチレン単位を介して結合される。Ｃにシロキサン単位も含まれる場合、当然Ｓｉ−Ｏ−Ｓｉ架橋が存在する。
【００２９】
Ｃがトリシランまたはより高次のシランである場合、Ｃは末端シランの１個を介してＢ（またはおそらくＡ）に結合していることがあり（したがって、ある種の「連続鎖」が形成され）、あるいはＣは中央位置のシランの１個を介してＢ（または任意選択でＡ）に結合していることもあり、したがってある種のＸ形またはＴ形または分枝状の構造が形成される。
【００３０】
任意選択で、Ｃに結合している部分構造Ａ−ＢまたはＡは同じタイプでも、異なるタイプでもよい。
【００３１】
好ましくは、Ｃは以下の構造の１つを有する。
【００３２】
【化２】
0006371316.tif 000003
式中、Ｒはそれぞれ独立してエチルまたはメチルであり、ｎは（それぞれ独立して）１、２または３を表し、ｊ、ｋ、ｍは１〜９、好ましくは１、２または３であり、ここで１≦ｊ＋ｋ＋ｍ≦１０である。
【００３３】
【化３】
0006371316.tif 000004
式中、Ｒはそれぞれ独立してエチルまたはメチルであり、Ｘはそれぞれ独立して（ＣＨ2）nまたはＯであり、ここでｎは（それぞれ独立して）１、２または３を表し、ｊ、ｋ、ｍは１〜９、好ましくは１、２または３であり、ここで１≦ｊ＋ｋ＋ｍ≦１０であり、
【００３４】
【化４】
0006371316.tif 000005
式中、Ｒはそれぞれ独立してエチルまたはメチルであり、Ｘはそれぞれ独立して（ＣＨ2）nまたはＯであり、ここでｎは（それぞれ独立して）１、２または３を表し、ｊ、ｋは１〜９、好ましくは１、２または３であり、ここで１≦ｊ＋ｋ≦１０である。
【００３５】
Ｃが「中央位置」に存在する場合、当然残基Ｒの１つはそれに応じて変更される。
【００３６】
部分成分Ｄ
Ｄはオリゴシロキサン、好ましくはジシロキサン、トリシロキサンまたはテトラシロキサンである。本明細書において、メチルおよびエチルシロキサンまたはメチルおよびエチル残基を含む混合シロキサンが好ましい。
【００３７】
Ｃがトリシロキサンまたはより高次のシロキサンである場合、Ｄは末端シロキサンの１個を介してＢ（または任意選択でＡ）に結合していることがあり（したがって、ある種の「連続鎖」が形成され）、あるいはＤは中央位置のシロキサンの１個を介してＢ（または任意選択でＡ）に結合していることがあり、したがってある種のＸ形またはＴ形または分枝状の構造が形成される。Ｄがジヒドロシロキサンまたはトリヒドロシロキサンに由来する場合、Ｄに結合している部分構造Ａ−ＢまたはＡは同じタイプでも、異なるタイプでもよい。
【００３８】
好ましくは、Ｄは以下の構造の１つを有する。
【００３９】
【化５】
0006371316.tif 000006
式中、Ｒはそれぞれ独立してエチルまたはメチルであり、ｎは０と１０との間、好ましくは０と５との間の範囲であり、より好ましくは０、１または２である。
【００４０】
本発明の好ましい実施形態によれば、消火用泡原液は以下の成分：起泡剤、塗膜形成要素、膜安定剤、不凍剤、保存剤および防食剤、可溶化剤ならびに緩衝剤の１つまたは複数をさらに含む。
【００４１】
以下に、これらの成分をさらに詳細に説明するが、個々の特性または情報を任意に組み合わせることができる。
【００４２】
起泡剤
起泡を改善するために、コサーファクタントを添加することができる。特に、これらは、直鎖アルキルベンゼンスルホン酸塩、第二級アルカンスルホン酸塩、アルキルスルホン酸ナトリウム塩、α−オレフィンスルホン酸塩、スルホコハク酸エステル、α−メチルエステルスルホン酸塩、アルコールエトキシラート、アルキルフェノールエトキシラート、脂肪アルコールエチレンオキシド／プロピレンオキシド付加物、グリコシド界面活性剤（これら、例えばグルコポンが特に好ましい）、ラウリル硫酸塩、ラウレス硫酸塩、イミダゾリウム塩、ラウリミノジプロピオナート、アクリル酸共重合体とすることができる。この一覧に含まれるアニオン界面活性剤に対する対イオンとして、主にＬｉ+、Ｎａ+、Ｋ+、ＮＨ4+、Ｎ（Ｃ2Ｈ5）4+が考えられる。
【００４３】
成膜剤、膜安定剤
泡沫特性を改善するために、とりわけ以下の成分、多糖、アルギナート、キサンタンガム、デンプン誘導体を泡原液に添加することができる。
【００４４】
不凍剤
耐霜性および低温での適用能力を改善するために、とりわけ以下の成分、エチレングリコール、プロピレングリコール、グリセリン、１−プロパノール、２−プロパノール、尿素、無機塩を泡原液に添加することができる。
【００４５】
保存剤および防食剤
貯蔵安定性を改善し、貯蔵容器および装置を保護するために、とりわけ以下の成分、ホルムアルデヒド溶液、アルキルカルボン酸、アスコルビン酸、サリチル酸、トリルトリアゾールを泡原液に添加することができる。
【００４６】
可溶化剤
成分の溶解性を改善するために、とりわけ以下の成分、ブチルグリコール、ブチルジグリコール、ヘキシレングリコールを泡原液に添加することができる。
【００４７】
緩衝剤
グリコシドおよびシロキサン界面活性剤は貯蔵の点からｐＨ感受性である。したがって、原液を約７のｐＨ値に調節することは有利である。緩衝系は、例えばオルトリン酸二水素カリウム／水酸化ナトリウム、トリス（ヒドロキシメチル）アミノメタン／塩酸、リン酸水素二ナトリウム／クエン酸／水酸化ナトリウム、クエン酸／酢酸ナトリウムとすることができる。
【００４８】
本発明はまた、少なくとも１つの置換もしくは非置換の炭水化物または炭水化物誘導体、および少なくとも１つのオリゴシランを、消火用泡および／または原液への添加剤として含む界面活性剤の使用にも関する。
【００４９】
以上に記述し、特許請求し、例示的実施形態に説明した、本発明に従って使用される成分は、それらのサイズ、形状、材料選択および技術的構想に関して特定の例外的条件を受けず、したがって適用領域で公知の選択基準を制限なしに適用することができる。
【００５０】
本発明の主題のさらなる詳細、特徴および利点は、従属請求項および対応する実施例の以下の説明から得られるが、これらは単に例示的なものであって、限定的なものでないと理解されるものとする。
【００５１】
実施例Ｉ
実施例Ｉは、以下の構造を有する本発明による界面活性剤に関する。
【００５２】
【化６】
0006371316.tif 000007
【００５３】
６．０ｇ／ｌおよび１２ｇ／ｌのＧｌｕｏｐｏｎ  ２１５  ＣＳＵＰ（アルキルポリグリコシド）を含む実施例Ｉの様々な濃度の溶液について、拡散挙動を調査した。結果を以下の表に要約する。
【００５４】
【表１】
0006371316.tif 000008
【００５５】
実施例ＩＩ
実施例ＩＩは、以下の構造を有する本発明による界面活性剤に関する。
【００５６】
【化７】
0006371316.tif 000009
【００５７】
２．０ｇ／ｌの実施例ＩＩおよび６．０ｇ／ｌのグルコポン  ２１５  ＣＳＵＰ（アルキルポリグリコシド）の溶液の拡散挙動を調査した。この化合物は非常にゆっくり拡散することが明らかになった。
【００５８】
実施例ＩＩＩ
実施例ＩＩＩは、以下の構造を有する本発明による界面活性剤に関する。
【００５９】
【化８】
0006371316.tif 000010
【００６０】
２．０ｇ／ｌの実施例ＩＩＩおよび６．０ｇ／ｌのグルコポン  ２１５  ＣＳＵＰ（アルキルポリグリコシド）の溶液の拡散挙動を調査した。この化合物は非常にゆっくり拡散することが明らかになった。
【００６１】
実施例ＶＩ
実施例ＩＶは、以下の構造を有する本発明による界面活性剤に関する。
【００６２】
【化９】
0006371316.tif 000011
【００６３】
２．０ｇ／ｌの実施例ＩＶおよび６．０ｇ／ｌのグルコポン  ２１５  ＣＳＵＰ（アルキルポリグリコシド）の溶液の拡散挙動を調査した。この化合物はゆっくり拡散することが明らかになった。
【００６４】
実施例Ｖ
実施例Ｖは、以下の構造を有する本発明による界面活性剤に関する。
【００６５】
【化１０】
0006371316.tif 000012
【００６６】
２．０ｇ／ｌの実施例Ｖおよび６．０ｇ／ｌのグルコポン  ２１５  ＣＳＵＰ（アルキルポリグリコシド）の溶液の拡散挙動を調査した。この化合物はゆっくり拡散することが明らかになった。
【００６７】
実施例ＶＩ
実施例ＶＩは、２つの界面活性剤の混合物であって、本発明によるそれらの界面活性剤の一方が以下の構造を有する混合物に関する。
【００６８】
【化１１】
0006371316.tif 000013
【００６９】
それぞれ０．５ｇ／ｌおよび１．０ｇ／ｌの実施例ＶＩの個々の成分と６．０ｇ／ｌのグルコポン  ２１５  ＣＳＵＰ（アルキルポリグリコシド）の溶液の拡散挙動を調査した。これらの混合物はそれぞれ、速くおよび非常に速く拡散することが明らかになった。
【００７０】
実施例ＶＩＩ
実施例ＶＩＩは、以下の構造を有する本発明による界面活性剤に関する。
【００７１】
【化１２】
0006371316.tif 000014
【００７２】
４．０ｇ／ｌの実施例ＶＩＩおよび６．０ｇ／ｌのグルコポン  ２１５  ＣＳＵＰ（アルキルポリグリコシド）の溶液の拡散挙動を調査した。この化合物は非常にゆっくり拡散することが明らかになった。
【００７３】
実施例ＶＩＩＩ
実施例ＶＩＩＩは、以下の構造を有する本発明による界面活性剤に関する。
【００７４】
【化１３】
0006371316.tif 000015
【００７５】
４．０ｇ／ｌの実施例ＶＩＩＩおよび６．０ｇ／ｌのグルコポン  ２１５  ＣＳＵＰ（アルキルポリグリコシド）の溶液の拡散挙動を調査した。この化合物は非常にゆっくり小領域に拡散することが明らかになった。
【００７６】
グリコシドシランの製造
実施例に示されたシラングリコシド界面活性剤は、とりわけ対応する炭水化物から以下の通り調製することができる。
【００７７】
【化１４】
0006371316.tif 000016
【００７８】
実施例ＶＩＩは以下の通り調製した。
【００７９】
【化１５】
0006371316.tif 000017
【００８０】
拡散挙動の調査
拡散挙動を調査するために、５ｍｌのシクロヘキサンを直径９ｃｍのペトリ皿に入れた。次いで、未発泡界面活性剤溶液１滴をそれぞれ添加し、界面活性剤溶液がシクロヘキサンの表面で拡散するかどうかおよびどのように拡散するかを観察した。
【００８１】
上記の実施形態の成分および特徴の個々の組合せは例示的なものであり、これらの教示を本文献および引用された参考文献に含まれている他の教示と交換および置換することもまた明示的に考慮される。本明細書に記載される実施形態以外に、本発明の趣旨および範囲から逸脱することなく、変形形態、修正形態および他の実施形態を実現できることを当業者は認識するであろう。したがって、上記の説明は例示的なものであって、限定するものではないとみなされるべきである。特許請求の範囲において使用される「含む（ｃｏｍｐｒｉｓｅ）」または「含む（ｉｎｃｌｕｄｅ）」という用語は、他の要素またはステップを排除するものではない。不定冠詞「１つの（ａ）」は複数の意味を排除するものではない。特定の手段が相互に異なる請求項に記載されているという単なる事実は、これらの手段の組合せを有利に使用できないということを意味するものではない。本発明の範囲は、以下の特許請求の範囲およびそれらの均等物によって定義される。